(57)【要約】      （修正有）【課題】屋内外の空間部の形状に応じて、ネットを吊り張り及び収納移動することのできるワイヤロープの調整体、及び該調整体を用いた移動システムを提供する。【解決手段】屋内外の空間部の間仕切り用又は防球用としてのネット又はシートをウインチ１でワイヤロープ３を移動することで吊り張り及び収納する際、ウインチ１によるワイヤロープ３の取り込み方向及び取り出し方向、及びワイヤロープ３の架け渡し方向に対応して該ワイヤロープ３を調整しながら移動すべく取り付け間及び径を調整した複数のローラ１２と該ローラを取り付けた調整本体とから構成される。【選択図】図１
2011255139.tif 000002
【特許請求の範囲】
【請求項１】
屋内外の空間部の間仕切り用又は防球用としてのネット又はシートをウインチでワイヤロープを移動することで吊り張り及び収納する際、ウインチによるワイヤロープの取り込み方向及び取り出し方向、及びワイヤロープの架け渡し方向に対応して該ワイヤロープを調整しながら移動すべく取り付け間及び径を調整した複数のローラと、該ローラを取り付けた調整本体から構成されたことを特徴とするワイヤロープの調整体。
【請求項２】
屋内外の空間部の間仕切り用又は防球用としてのネット又はシートをウインチでワイヤロープを移動することで吊り張り及び収納する際、ウインチで移動するワイヤロープの取り込み方向及び取り出し方向、及び架け渡し方向に応じて調整体の複数のローラの取り付け間又はローラの径を調整しながらワイヤロープを移動することを特徴とするワイヤロープの調整体を用いた移動システム。
【発明の詳細な説明】
【技術分野】
【０００１】本発明は、ネットを吊り張り及び収納すべく所望の位置に架け渡したワイヤロープをウインチで移動するワイヤロープの調整体、及び該調整体を用いた移動システムに関する。
【背景技術】
【０００２】従来、ネットを吊り張り及び収納するためにウインチでワイヤロープを移動するシステムとして、下記のようなシステムが知られている。【０００３】屋内施設で防球用としてのネットの移動システムとしては、エンドレス方式のウインチと、該ウインチの駆動ドラムと天井側に取り付けられた複数の滑車間でループ状に架け渡したウインチ用のワイヤロープと、該ウインチ用のワイヤロープに間隔をあけて連結され、滑車を介して吊り下げた複数本の吊り下げ用のワイヤロープと、該吊り下げ用のワイヤロープをリング体を介して上端側より下端側へ挿通し下端側で連結したネットから構成され、ネットを吊り張りする場合は、ウインチの駆動ドラムを駆動しウインチ用のワイヤロープをループ状に移動し吊り下げ用のワイヤロープを滑車を介して引き出すことで該吊り下げ用のワイヤロープに連結されたネットを空間部に吊り張りし、また、ネットを収納する場合は、駆動ドラムを逆方向に駆動しウインチ用のワイヤロープを逆ループ状に移動し吊り下げ用のワイヤロープを巻き取ることでネットを空間部の上方にネットを折り畳みながら収納する。【０００４】また、他のネットの移動システムとしては、空間部の対向する側面にそれぞれ設置したエンドレス方式のウインチと、該ウインチの近傍に設置した巻取リールと、該巻取リールに巻回しウインチの駆動ドラムを介して移動するワイヤロープと、該ワイヤロープの先端側に連結したネットから構成され、ネットを吊り張りする場合は、ウインチの駆動ドラムを駆動して巻取リールでワイヤロープを巻き取りネットを両端側より引っ張ることでネットを空間部に吊り張りし、また、ネットを収納する場合は、駆動ドラムを駆動してリールよりワイヤロープを引き出し、ネットを床面側に移動して該ワイヤロープよりネットを取り外すことでネットを収納する。【０００５】上記ウインチで移動するワイヤロープは、それぞれ天井側又は側面側に取り付けられた複数の個別の滑車を介して掛け渡し、又は移動している。
【発明が解決しようとする課題】
【０００６】しかしながら、上記従来のシステムは、個々の滑車を取り付けてワイヤロープを架け渡して移動しているために、ネットの荷重の相違により滑車間でワイヤロープに撓みや弛みが生じ、スムーズなワイヤロープの移動ができない。
【０００７】また、上記理由により空間部に応じた最適なワイヤロープの架け渡しができない問題点があった。
【０００８】また、空間部の形状に応じてウインチの取り付け位置が限定されると、ウインチよりのワイヤロープの取り出し方向が限定され、滑車の取り付け位置、巻取リールを使用する場合その取り付け位置が確保できず、別体の設置台を必要とし作業の煩雑さが問題となった
【０００９】また、ウインチの駆動ドラムよりのワイヤロープの取り出し及び取り込みするのにウインチに設けられた案内ローラを利用する方法も考えられたが、案内ローラはウインチへの取り込み側及び取り出し側のワイヤロープをそれぞれ押圧するように取り付けられているために、ネットの荷重等によりワイヤロープが磨耗しやすく、また、ワイヤロープの駆動ドラムよりの取り出し方向が限定されるために、ウインチの取り付け方向に制限ができるという欠点があった。
【００１０】また、滑車を用いる場合は、必要の箇所でのワイヤロープの押圧等の変更ができなく、その利用範囲が限定される。
【００１１】そこで本発明は上記問題点を解消すべく、空間部の形状及びネットの吊り張り状況に応じてワイヤロープの取り出し方向及び架け渡し方向を自在に調整でき、またその取り付けが容易なワイヤロープの調整体及び該調整体を用いた移動システムを提供すること課題とする。
【課題を解決するための手段】
【００１２】本発明は上記課題を解決する手段は、請求項１に記載のように、屋内外の空間部の間仕切り用又は防球用としてのネット又はシートをウインチでワイヤロープを移動することで吊り張り及び収納する際、ウインチによるワイヤロープの取り込み方向及び取り出し方向、及びワイヤロープの架け渡し方向に対応して該ワイヤロープを調整しながら移動すべく取り付け間及び径を調整した複数のローラと、該ローラを取り付けた調整本体から構成されていることを特徴とする。
【００１３】また、上記課題を解決するシステムは、請求項２に記載のように、屋内外の空間部の間仕切り用又は防球用としてのネット又はシートをウインチでワイヤロープを移動することで吊り張り及び収納する際、ウインチで移動するワイヤロープの取り込み方向及び取り出し方向、及び架け渡し方向に応じて調整体の複数のローラの取り付け間又はローラの径を調整しながらワイヤロープを移動することを特徴とする。
【発明の作用・効果】
【００１４】次に、本発明のワイヤコープの調整体、及び該調整体を用いた移動システムの作用及び効果について説明する。
【００１５】空間部に間仕切り用又は防球用としてのネット又はシートを吊り張りする場合は、先ず空間部の所望の位置にウインチを取り付け、該ウインチの駆動ドラムにネット又はシートに直接又は間接的に連結されたワイヤロープを巻回するとともに該ワイヤロープをループ状に架け渡す。
【００１６】次に、ウインチの駆動ドラムを駆動することで、該駆動ドラムに巻回されたワイヤロープを架け渡し方向に沿って移動する。
【００１７】この際、ワイヤロープのウインチへの取り込み及び取り出し方向に対応してウインチの近傍にワイヤロープ用の調整体を設け、該調整体の複数のローラの取り付け間、又はローラの径を調整して対応し、ワイヤロープの弛み等を解消しスムーズなワイヤロープの移動を行なう。
【００１８】また、ワイヤロープを天井側に架け渡す場合は、ウインチの駆動ドラムに巻回されたワイヤロープをウインチより取り出し、そして該ワイヤロープをループ状に架け渡す。
【００１９】この際も上記と同様に、調整体を用いて、ローラの取り付け間、又はローラの径を調整して、ワイヤロープの移動方向を調整しながら移動するために、スムーズなワイヤロープの移動を可能とする。
【００２０】また、ウインチの取り付け位置や取り付け方向に関わらず、調整体を用いることで、ワイヤロープの移動方向を自在に調整でき、空間部に応じたワイヤロープの架け渡しを可能である。
【００２１】このように、本発明のワイヤロープの調整体、該調整体を用いた移動システムは、ウインチの取り付け位置にかかわらず調整体を用いてワイヤロープの移動方向を自在に変更することができ、ウインチや巻取リールの取り付け位置を最適な位置に設置することができる。
【００２２】また、調整体を用いることでネットの荷重に応じてワイヤロープを押圧したり、また、架け渡すことで最適なワイヤロープの移動を行うことができる。
【００２３】さらに、調整体はウインチに対してあらゆる方向に設置することができ、あらゆる空間部に対応したウインチ等の最適な設置を可能とする。
【００２４】さらに、その構成も簡易であり、従来に比しコストの面でも低減することができる。
【発明を実施するための最良の実施の形態】
【００２５】以下、本発明のワイヤロープの調整体、該調整体を用いた移動システムの一実施例について図面に沿って説明する。
【００２６】図１は本発明のワイヤロープの調整体の一実施例を示す概略説明平面図であり、図２はワイヤロープの調整体を示す概略説明側面図であり、図３はワイヤロープの調整体の他実施例を示す概略説明側面図であり、図４はワイヤロープの調整体をウインチの近傍に取り付けた一実施例を示す概略説明平面図であり、図５は図４の他実施例を示す概略説明平面図であり、図６は本発明のワイヤロープの調整体を用いた移動システムを示す概略説明図であり、図７は図６の他実施例を示す概略説明図であり、図８はワイヤロープの調整体を用いた移動システムの他実施例を示す概略説明図である。
【００２７】本発明のワイヤロープの調整体４は、矩形状でに複数の固定軸９を取り付けるための取付用孔の形成された調整本体８と、該取付孔に取り付けられ固定軸９と、該固定軸９に回転自在に軸支され、外周縁に沿って溝の形成されたリール１２から構成され、移動するワイヤロープ３の方向を変更する場合は、少なくとも２個のリール１２を用いて方向を変更し、ワイヤロープ３に弛み又は撓みがある場合は２個のリール１２間を狭めてワイヤロープ３を押圧し、ワイヤロープ３をループ状に移動する場合は２個のリール１２間を広げて、又は大径のリール１２を取り付けることでループ間を維持しながら移動する。
【００２８】尚、上記固定軸９に取り付けるリール１２は１個に限らず複数個を取り付けることで、同時に複数本のワイヤロープ３の方向等の調整を行うことも可能である。この場合においても上記と同様に径の相違するリール１２を取り付けることで、ワイヤロープ３間の調整を同時に行うことができる。
【００２９】次に、本発明のウインチを用いたネット又はシート用のワイヤロープの移動システムは、エンドレス方式のウインチ１と、該ウインチ１の駆動ドラム２に巻回して移動するワイヤロープ３と、該ワイヤロープ３のウインチ１への取り込み及び取り出し方向を調整する調整体４と、前記ワイヤロープ３の一方側に連結されたネット５と、ワイヤロープ３の他方側に設けられワイヤロープ３を巻き取りする巻取リール６から構成されている。
【００３０】上記ウインチ１は、外周にワイヤロープ３を巻回する溝の形成された駆動ドラム２の取り付けられた駆動軸１０の設けられたウインチ本体７と、該駆動軸１０を回転駆動するモーターの設けられた駆動源（図示せず）から構成されている。
【００３１】上記巻取リール６は、ウインチ１の駆動ドラム２の駆動に応じてワイヤロープ３を巻き取り又は引き出しする。
【００３２】また、調整体４のウインチ１の近傍への取り付け位置も、一方向に限定されるものでなく、ウインチ１の全ての方向に取り付けすることが可能であり、さらに、ウインチ１の両端側に取り付け、ワイヤロープ３を一方側より駆動ドラム２に取り入れ該駆動ドラム２にワイヤロープ３を１周半巻き付け、他方側よりワイヤロープ３を取り出すべく移動することも可能である。
【００３３】即ち、ウインチ１における駆動ドラム２の溝の形状、又は複数の駆動ドラム２等使用する駆動ドラム２の種類に応じて、調整体４を自在に組み合わせて、１又は複数個設置して使用することができる。
【００３４】本発明のワイヤロープの調整体、及び該調整体を用いた移動システムは上記のように構成され、次に該システムを用いて屋内施設の防球用のネットの吊り張り及び収納に使用する場合について説明する。
【００３５】先ず、ウインチ１を空間部の対向する側面上部側にそれぞれ取り付け、該ウインチ１の近傍に取り付けられた巻取リール６より取り出したワイヤロープ３をウインチ１の駆動ドラム２に巻回した後、ネット５の上端側端部にその先端部を連結する。
【００３６】上記状態で本発明のウインチを用いたネット又はシート用のワイヤロープの移動システムが構成される。
【００３７】尚、ウインチ１にはその近傍に調整体４を取り付け、該調整体４を介してワイヤロープ３を巻取リール６側に引き出すことでウインチ１の取り付け位置に関係なく、調整体４をウインチ１の適切な位置に取り付けてワイヤロープ３を引き出し、巻取リール６の方向に移動することができる。従って、巻取リール６の設置位置がウインチ１より離反した位置であっても、巻取リール６側にワイヤロープ３を移動し、巻取リール６で該ワイヤロープ３を巻き取り及び引き出しすることができる。
【００３８】また、ワイヤロープ３に弛みが発生し、巻取リール６に適切に巻き取りできない場合は、調整体４部分でワイヤロープ３を押圧することでワイヤロープ３の弛みを解消してスムーズに巻き取り移動することができる。
【００３９】このように、ウインチ１及び巻取リール６を空間部の形状に対応して最適な位置に設置することができる。
【００４０】次に、空間部にネット５を吊り張りする場合について説明する。先ず、ウインチ１の駆動ドラム２を駆動してワイヤロープ３をそれぞれ巻取リール６より床面側に引き出し、該ワイヤロープ３の先端部とネット５の上端側端部を連結した後、ウインチ１の駆動ドラム２を逆方向に駆動しワイヤロープ３を巻き取り方向に移動して巻取リール６で巻き取ることで、ネット５の両端側をそれぞれ逆方向に引っ張り空間部にネット５を吊り張りする。
【００４１】これにより、空間部を使用する際、ネット５を防球用として使用することができる。
【００４２】この際、ウインチ１の近傍で巻取リール６側に取り付けられた調整体４の２個のローラ１２によりワイヤロープ３の移動方向を押圧することなくスムーズに変更して移動することで、ウインチ１の駆動ドラム２に連動して移動するワイヤロープ３を巻き取り及び引き出し移動することができる。
【００４３】また、ウインチ１の駆動ドラム２により巻き取り及び引き出し移動するネット５側のワイヤロープ３は、調整体４の２個のローラ１２で挟むようにし押圧することで、ネット５の荷重に係わらずワイヤロープ３をスムーズに移動することができる。
【００４４】次に、ネット５を収納して空間部を開放する場合は、上記ネット５を吊り張りする場合とは逆に、ウインチ１の駆動ドラム２を駆動して巻取リール６よりワイヤロープ３を引き出して、ネット５を床面側に移動し、ワイヤロープ３よりネット５を取り外して、ネット５を収納する。
【００４５】この場合も上記と同様に、調整体４を用いてワイヤロープを移動するためにネット５を取り外した後も、ワイヤロープ３をスムーズに移動することができる。
【００４６】このように、本発明のウインチを用いたネット又はシート用にワイヤロープの移動システムは、調整体４を用いてワイヤロープ３の移動方向を調整することができるのであらゆる空間部に対応して設置することができる。
【００４７】また、調整体４でワイヤロープ３を移動する際、必要箇所では移動するワイヤロープ３を押圧して移動することで、ワイヤロープ３が弛みとう発生せずスムーズに移動することができる。
【００４８】尚、上記実施例では、ネット５の両端側にワイヤロープ３を連結したが本発明の移動システムはこれに限定されるものでなく、例えば、１台のウインチ１の駆動ドラム２よりワイヤロープ３を天井側に沿ってループ状に架け渡し、該ワイヤロープ３に滑車を介して複数の吊り下げ用ワイヤロープを取り付け該吊り下げ用ワイヤロープにネットを連結することで、滑車部分で吊り下げ用ワイヤロープを引き出し又は巻取り移動してネットを吊り張り及び収納すべくネットを連結することも可能である。
【００４９】また、上記実施例では、ネット５の吊り張り移動として使用したが、本発明の移動システムは、ネット５に限定するものでなく、シート５を使用することも可能である。
【図面の簡単な説明】
【００５０】
【図１】本発明のワイヤロープの調整体の一実施例を示す概略説明平面図
【図２】本発明のワイヤロープの調整体の一実施例を示す概略説明側面図
【図３】ワイヤロープの調整体の他実施例を示す概略説明側面図
【図４】本発明のワイヤロープの調整体の他実施例を示す概略説明平面図
【図５】本発明のワイヤロープの調整体の他実施例を示す概略説明平面図
【図６】本発明のワイヤロープの調整体を用いた移動システムの一実施例を示す概略説明図
【図７】本発明のワイヤロープの調整体を用いた移動システムの他実施例を示す概略説明図
【図８】本発明のワイヤロープの調整体を用いた移動システムの他実施例を示す概略説明図
【符号の説明】
【００５１】１−ウインチ、３−ワイヤロープ、４−調整体、５−ネット、シート
【図１】
2011255139.tif 000003
【図２】
2011255139.tif 000004
【図３】
2011255139.tif 000005
【図４】
2011255139.tif 000006
【図５】
2011255139.tif 000007
【図６】
2011255139.tif 000008
【図７】
2011255139.tif 000009
【図８】
2011255139.tif 000010